(57)【要約】【課題】システムの制御に影響を与えることなく、通信エラーを検出した場合の訂正データ再送回数を低減することで通信負荷を削減し、システム全体のスループットを向上してデータのリアルタイム性を維持すること。【解決手段】通信状態判定手段７において送信失敗を検出した場合、失敗したデータの負荷状態の変化度合が前回のデータ送信成功時から一定の範囲内であれば再送不要を判断し、失敗データの再送を中止させる。従って、状態変化の少ない負荷情報に関しては送信に失敗してもデータの再送は行わないことにより、システムの制御に影響を与えることなく通信エラーを検出した場合の訂正データ再送回数を低減することで通信負荷を削減するため、ネットワーク２上の通信負荷を低減することができる。【選択図】図１
2010236762.tif 000002
【特許請求の範囲】
【請求項１】
空気調和機の入出力負荷状態を検出する状態検出手段と、前記状態検出手段にて検出された入出力負荷状態の変化度合を判定する状態変化判定手段と、前記状態検出手段にて検出された入出力負荷状態をネットワーク上の遠隔監視装置へ送信し、前記遠隔監視装置から通知データの受理応答を受信するための通信手段と、前記通信手段により送信したデータの送信失敗を前記遠隔監視装置からのデータ受理応答の有無によって検出し、前記状態変化判定手段において入出力負荷状態の変化度合が一定の範囲内であれば再送不要を判断し、失敗データの再送を中止させる通信状態判定手段をもつことを特徴とする空気調和機。
【請求項２】
入出力負荷状態の送信失敗時における失敗データの再送の有無を判断するための入出力状態変化度合を任意に設定できる変化レベル設定手段を備えた請求項1に記載の空気調和機。
【請求項３】
入出力負荷状態の送信失敗時における失敗データの再送の有無を判断するための入出力状態変化度合監視対象データ種別を任意に設定できるデータ種別設定手段を備えた請求項1に記載の空気調和機。
【発明の詳細な説明】
【技術分野】
【０００１】
本発明は、ネットワーク接続される空気調和機に関するものである。
【背景技術】
【０００２】
従来、この種の空気調和機では、例えば図４に記載された空気調和機があった。
【０００３】
図４において、空気調和機１０１は、状態検出手段１０６によって検出した入出力負荷状態のデータをデータの送受信を行う通信手段１０４を介してネットワーク１０２に接続された遠隔監視装置１０３へ送信し、送信データの受理応答の有無を通信状態判定手段１０５にて監視し、受理応答が確認されなかった場合は訂正のためのデータ−を再送している（例えば、特許文献１参照）。
【特許文献１】特開２００２−１０５３２号公報
【発明の開示】
【発明が解決しようとする課題】
【０００４】
しかしながら、前記従来の構成では、空気調和機１０１にて送信データの受理応答が確認されず、通信エラーが検出された場合は、無条件に訂正データを再送しており、これによって通信負荷の増大を招き、システム全体のスループットが低下し、データのリアルタイム性が低下するという課題を有していた。
【０００５】
本発明は、前記従来の課題を解決するもので、システムの制御に影響を与えることなく、通信エラーを検出した場合の訂正データ再送回数を低減することで通信負荷を削減し、システム全体のスループットを向上してデータのリアルタイム性を維持することができる空気調和機を提供することを目的とする。
【課題を解決するための手段】
【０００６】
前記従来の課題を解決するために、本発明の空気調和機は、入出力負荷状態データを送信した際に通信エラーが発生した場合、送信データである入出力負荷状態データの変化度合が一定の範囲内であれば再送不要を判断し、失敗データの再送を中止させるものである。
【０００７】
これによって、システムの制御に影響を与えることなくエラー訂正データによる通信負荷の増大を抑えることができる。
【発明の効果】
【０００８】
本発明の空気調和機は、通信エラーを検出した場合の訂正データ再送回数を低減することで通信負荷を削減し、システム全体のスループットを向上してデータのリアルタイム性を維持することができる。
【発明を実施するための最良の形態】
【０００９】
第１の発明は、空気調和機の入出力負荷状態を検出する状態検出手段と、状態検出手段にて検出された入出力負荷状態の変化度合を判定する状態変化判定手段と、状態検出手段にて検出された入出力負荷状態をネットワーク上の遠隔監視装置へ送信し、遠隔監視装置から通知データの受理応答を受信するための通信手段と、通信手段により送信したデータの送信失敗を前記遠隔監視装置からのデータ受理応答の有無によって検出し、状態変化判定手段において入出力負荷状態の変化度合が一定の範囲内であれば再送不要を判断し、失敗データの再送を中止させる通信状態判定手段をもつもので、この構成をなすことにより
、システムの制御に影響を与えることなく、通信エラーを検出した場合の訂正データ再送回数を低減することで通信負荷を削減し、システム全体のスループットを向上してデータのリアルタイム性を維持することができる。
【００１０】
第２の発明は、特に、第１の発明の状態変化判定手段において判断される入出力状態変化度合を任意に設定できる変化レベル設定手段を設けることにより、空気調和機及びネットワーク状態に適したスループットを確保し、リアルタイム性を維持することができる。
【００１１】
第３の発明は、特に、第１〜２の発明の入出力状態変化度合監視対象データ種別を任意に設定できるデータ種別設定手段を設けることにより、空気調和機及びネットワーク状態に適したスループットを確保し、リアルタイム性を維持することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機１のブロック図を示すものである。
【００１４】
図１において、空気調和機１は、状態検出手段４、状態変化判定手段５、通信手段６、通信状態判定手段７から構成されている。
【００１５】
状態検出手段４は、空気調和機１の入出力負荷状態を検出する。
【００１６】
状態変化判定手段５は、状態検出手段４にて検出された入出力負荷状態の変化度合を判定する。
【００１７】
通信手段６は、ネットワーク２上の遠隔監視装置３へ状態検出手段４にて検出された入出力負荷状態を送信し、遠隔監視装置３から通知データの受理応答を受信する。
【００１８】
通信状態判定手段７は、通信手段６により送信したデータの送信失敗を遠隔監視装置３からのデータ受理応答の有無によって検出し、状態変化判定手段５において入出力負荷状態の変化度合が前回のデータ送信成功時から一定の範囲内であれば再送不要を判断し、失敗データの再送を中止させる。
【００１９】
以上のように構成された空気調和機１は、通信状態判定手段７において送信失敗を検出した場合、失敗したデータの負荷状態の変化度合が前回のデータ送信成功時から一定の範囲内であれば再送不要を判断し、失敗データの再送を中止させるものである。従って、状態変化の少ない負荷情報に関しては送信に失敗してもデータの再送は行わないことにより、システムの制御に影響を与えることなく通信エラーを検出した場合の訂正データ再送回数を低減することで通信負荷を削減するため、ネットワーク２上の通信負荷を低減することができる。
【００２０】
（実施の形態２）
図２は、本発明の第２の実施の形態における空気調和機１のブロック図を示すものである。図２において、実施の形態１で説明した部分については同じ符号を用い説明を省略する。
【００２１】
変化レベル設定手段８は、状態変化判定手段５において判断される入出力状態変化度合を任意に設定できる。
【００２２】
以上のように構成された空気調和機１は、通信状態判定手段７において送信失敗を検出した場合の再送判断となる負荷状態の変化度合を任意に設定できることにより、空気調和機１、及びネットワーク２の通信状態に応じて、システムとして最適な通信負荷削減をすることができる。
【００２３】
（実施の形態３）
図３は、本発明の第３の実施の形態における空気調和機１のブロック図を示すものである。図３において、実施の形態１、２で説明した部分については同じ符号を用い説明を省略する。データ種別設定手段９は、入出力状態変化度合監視対象データ種別を任意に設定できる。
【００２４】
以上のように構成された空気調和機１は、通信状態判定手段７において送信失敗を検出した場合、負荷状態の変化度合によるデータの再送処理の有無を各負荷の重要性に応じて設定できることにより、空気調和機１、及びネットワーク２の通信状態に応じて、システムとして最適な通信負荷削減をすることができる。
【産業上の利用可能性】
【００２５】
以上のように本発明は、入出力負荷状態の変化度合が少ないデータの送信時に失敗した場合の訂正データ再送回数を低減することで通信負荷を削減し、システム全体のスループットを向上してデータのリアルタイム性を維持することを可能とするので、空気調和機以外にもネットワークを介して制御される機器に適用することができる。
【図面の簡単な説明】
【００２６】
【図１】本発明の実施の形態１における空気調和機のロック図
【図２】本発明の実施の形態２における空気調和機のブロック図
【図３】本発明の実施の形態３における空気調和機のブロック図
【図４】従来の空気調和機のブロック図
【符号の説明】
【００２７】
１  空気調和機
２  ネットワーク
３  遠隔監視装置
４Ａ、４ｎ  状態検出手段
５Ａ、５ｎ  状態変化判定手段
６Ａ、６ｎ  通信手段
７Ａ、７ｎ  通信状態判定手段
８Ａ、８ｎ  変化レベル設定手段
９Ａ、９ｎ  データ種別設定手段
【図１】
2010236762.tif 000003
【図２】
2010236762.tif 000004
【図３】
2010236762.tif 000005
【図４】
2010236762.tif 000006